(57)【要約】      （修正有）【課題】中高年など、こたつ、ベットから立ち上がる場合、座り姿勢からの立ち上がり姿勢で、姿勢を補助する道具となり、身近な衣服、本、小物などを収納できる家具で、使用状況、使用者の体格などに合わせて便利に使用できる手摺り付家具を提供する。【解決手段】小型家具において、家具の両側板の一方側の上部と前部に握り手になる手摺り部分を持って、小型家具は、高さ８００ｍｍ〜１３００ｍｍ、幅７００ｍｍ〜９００ｍｍ、奥行き３００ｍｍ〜５３０ｍｍであって、タンス、本棚、チェストである。【選択図】図１
0003176225.tif 000002
【実用新案登録請求の範囲】
【請求項１】
小型家具において、家具の両側板の一方側の上部と前部に握り手になる手摺り部分を持っていることを特徴とする手摺り付家具。
【請求項２】
小型家具は、高さ８００ｍｍ〜１３００ｍｍ、幅７００ｍｍ〜９００ｍｍ、奥行き３００ｍｍ〜５３０ｍｍであって、引出し部、棚部から選ばれたタンス、本棚、チェストであることを特徴とする請求項１に記載の手摺り付家具。
【請求項３】
握り手になる手摺り部は、当該家具の両側板の一方側の前部と上部に設けて、前部では高さ４００ｍｍ〜６００ｍｍの位置で握り部を２００ｍｍ〜３００ｍｍを持って、上部では側板上部に前面から５０〜１５０ｍｍの位置で握り部を２００ｍｍ〜３００ｍｍを持っていることを特徴とする請求項１に記載の手摺り付家具。
【請求項４】
握り手になる手摺り部は、形状として掌で握りやすい大きさで、円形、略円形、多角形、角のない四角形であって、滑り止めの効果をもたらすために表面に溝線を設けたり、あるいは太さを周期的に変えたものにして、大きさとして略直径を２０ｍｍ〜３０ｍｍφであることを特徴とする請求項１に記載の手摺り付家具。
【請求項５】
当該握り手になる手摺り部は、取り付け側板の幅を反対側の側板より前面部と上部面で８０ｍｍ〜１２０ｍｍ長くして、前記の位置に幅５０ｍｍ〜７０ｍｍ、長さ２００ｍｍ〜３００ｍｍの略長方形で切り抜いて、円形、略円形、多角形、角のない四角形であって、握り手の表面に溝線を設けたり、あるいは太さを周期的に変えたものにして、大きさとして略直径を２０ｍｍ〜３０ｍｍφにしていることを特徴とする請求項１〜請求項４のいずれかに記載の手摺り付家具。
【請求項６】
小型家具は、引出し部、棚部から選ばれたタンス、本棚、チェストであって、引出し部、又は棚部を２〜４段をもうけて、これらの単独、あるいは混合系であることを特徴とする請求項１〜請求項５のいずれかに記載の手摺り付家具。
【考案の詳細な説明】
【技術分野】
【０００１】  本考案は、座り姿勢からの立ち上がり姿勢で、姿勢を補助するために、所定の高さに支持される手摺り部を有し、側板の前面と上面に取り付けて、この側板に付随している手摺りで起立行動、手作業をしたり、高年者などの起立の補助具などの用途に使用される、例えば引出し家具、本棚その他を含む手摺り付家具に関する。
【背景技術】
【０００２】  家具の天板以外に、多くの物を収容して便利に使用するため、家具には各種構造の棚板が設けられる。家具の天板を支持する左右の支柱の間に、垂直な背板状の棚板支持体を上下方向に固定可能に支持するとともに、この棚板支持体の前面側に必要な数の棚板を装着した棚で立ち上がり具として使用されていることが提案されている（特許文献１参照）。【０００３】  この机においては、棚板支持体を支柱にて対して昇降・固定することによって、棚板の高さを上下に調整できるため、使用状況、使用者の体格などの諸条件に応じて便利に使用することができる。
また一般家具において、持ち手を所定の大きさと厚さを有する土台板に、持ち手取付用ネジ部材の頭が埋没するように取付け、当該土台板を強力な接着用粘着両面テープにて、フラッシュ構造の家具の持ち手が必要な取付け面に固着する持ち手取付け方法を提案されている（特許文献２参照）。しかし家具において起立姿勢において補助具になるようなものは存在していない。
【先行技術文献】
【特許文献】
【０００４】
【特許文献１】特開平１１−１８８４１号公報
【特許文献２】特開２００５−２２４５７６号公報
【考案の概要】
【考案が解決しようとする課題】
【０００５】  中高年など、こたつ、ベットから立ち上がる場合、座り姿勢からの立ち上がり姿勢で、姿勢を補助する具を必要としている。しかしながら、棚板を各々の最適位置に調整することができないため、家具などの補助に依存しているが持ち手はほとんどない。また手摺り付家具においては、収容物の出し入れ時に不自然な姿勢を強要されたり、収容物が一覧できないなど、使用上の不便を生じている。【０００６】  また家具の内棚板を設ける位置が棚板支持体の前面に限られる。従って例えば両手がのばし易い位置である天板の側部に棚板を設けることができないなど、使い勝手が悪いという問題もある。【０００７】  本考案は、家具における引き出しと本棚で可動棚の支持軸材の外面に設けた取付具あるいは取手を脚部、又は家具に手摺りを取り付けることを基本とし、家具の側板に任意の位置に取り付けることができることから、使用状況、使用者の体格などに合わせて便利な位置、形状で設置している小型家具の提供を課題としている。
【課題を解決するための手段】
【０００８】  小型家具において、家具の両側板の一方側の上部と前部に握り手になる手摺り部分を持っている手摺り付家具である。【００１０】  小型家具は、高さ８００ｍｍ〜１３００ｍｍ、幅７００ｍｍ〜９００ｍｍ、奥行き３００ｍｍ〜５００ｍｍであって、引出し部、又は棚部から選ばれたタンス、本棚、チェストである。好ましくは高さ９００ｍｍ〜１２００ｍｍ、幅８００ｍｍ〜９００ｍｍ、奥行き４００ｍｍ〜５００ｍｍである。【００１１】  握り手になる手摺り部は、当該家具の両側板の両側、又は一方側の前部と上部に設けて、前部では高さ４００ｍｍ〜６００ｍｍの位置で握り部を２００ｍｍ〜３００ｍｍを持って、上部では側板上部に前面から５０〜１５０ｍｍの位置で握り部を２００ｍｍ〜３００ｍｍを持っている。【００１２】  握り手になる手摺り部は、形状として掌で握りやすい大きさで、円形、略円形、多角形、角のない四角形であって、滑り止めの効果をもたらすために表面に溝線を設けたり、あるいは太さを周期的に変えたものにして、大きさとして略直径を２０ｍｍ〜３０ｍｍφである。また手摺り部の溝線の大きさは、２〜３ｍｍで、また握り手の太さの周期は、３０ｍｍ〜５０ｍｍにすることが好ましい。【００１３】  家具の両側板の一方側の握り手になる手摺り部は、取り付け側板の幅を反対側の側板より前面部と上部面で８０ｍｍ〜１２０ｍｍ長くして、前記の位置に幅５０ｍｍ〜７０ｍｍ、長さ２００ｍｍ〜３００ｍｍの略長方形で切り抜いて、円形、略円形、多角形、角のない四角形であって、握り手の表面に溝線を設けたり、あるいは太さを周期的に変えたものにして、大きさとして略直径を２０ｍｍ〜３０ｍｍφにしている。【００１４】  小型家具は、引出し部、棚部から選ばれたタンス、本棚、チェストであって、引出し部、又は棚部を２〜４段をもけて、これらの単独、あるいは混合系である。【００１５】前記握り手になる手摺り部は、垂直に立ち上がるとともに左右に配された竪枠と、この竪枠の上端部間に架け渡された頭継ぎ材と、上下に一定間隔で平行に並び前記竪枠の間に架け渡される横桟とを具え、上下に前記一定間隔を隔てて設けられ、各取付具が任意高さの前記横桟に係合することによって、手摺り部の任意の位置に、引出しと棚板とを支持できるようにしている手摺り付家具である。
【考案の効果】
【００１６】中高年などの方が、こたつ、ベットから立ち上がる場合、あるいは座り姿勢からの立ち上がり姿勢で、姿勢を補助する具になって、楽な姿勢で立ち上がることができた。また家具などの補助具として手摺り付家具においては、収容物の出し入れ時に不自然な姿勢を強要されずに、収容物を自由に処理できて、さらに本などの内容物を一覧できるようになった。【００１７】  家具の側板に手摺り部を任意の位置に支持できるように構成しているため、用途、設置場所・環境などの使用条件、使用者の年齢・体格その他使用者の住居間に置くデザイン性の家具となった。【００１８】  家具の側板の上下に一定間隔で竪棒の間に架け渡された複数の横桟とで手摺り部を構成し、引出し、または棚板を支持して、側板を手摺り部に対して強固に取付ているため、重い収容物を安定して支持できるとともに、使用場所の状況に応じて、起立姿勢で最適な位置に手摺り部を設けることで、使い勝手良い便利な小型家具となった。
【図面の簡単な説明】
【００１９】
【図１】本考案の一実施の形態を例示する斜視図である。
【図２】側板の分解図である。Ａ：右側板、Ｂ：左側板、Ｃ：手摺り部詳細図
【図３】手摺り付きチェストの図である。Ａ：正面図、Ｂ：側面図、Ｃ：側板図
【図４】手摺り付き本棚の図である。Ａ：正面図、Ｂ：側面図、Ｃ：側板図
【図５】手摺り付き小型家具の図である。Ａ：正面図、Ｂ：側面図、Ｃ：側板図
【考案を実施するための形態】
【００１９】以下、本考案の実施の一形態を、図示例とともに説明する。図１に示すように、家具は、側板と、この天板を水平に支持する脚部と、天板の縁部から上方にのびる手摺り部と、引出しとを具える。本形態の家具は、小タンスなどとして構成する場合もある。
【実施例１】
【００２０】図３に示すような手摺り付三段引出用チェストを製作した。まず図２のような、厚さ３０ｍｍ、横５３２ｍｍ、縦８４５ｍｍのＭＤＦ板に、前記板の上部に幅２７０ｍｍ、高さ６０ｍｍの長方形体を前面から９５ｍｍの位置に切り抜き、また前部に幅２７０ｍｍ、高さ６０ｍｍの長方形体を上面から９５ｍｍの位置に切り抜き、取手として３０ｍｍの幅で内面に波状にした対象的側板を二枚製作した。天板の表面はポリエステル合板で、厚さ２０ｍｍ、幅７８０ｍｍ、奥行４３０ｍｍ、背板の表面はプリント化粧合板で幅７８０ｍｍ、高さ７４５ｍｍのフラッシュ構造にて製作した。【００２１】引出は三段であって、上段をカキ板１３０×４００ｍｍ、向板１２６×７２９ｍｍと、中段をカキ板１４５×４００ｍｍ、向板１４１×７２９ｍｍと、下段をカキ板１９０×４００ｍｍ、向板１８６×７２９ｍｍにした。また引出の表面部には上中下段とも取手部として幅１５ｍｍ×長さ５３０ｍｍの切り込みを入れた。上記各三段の引出の出し入れのために、側板の最下部から９５ｍｍと３３８ｍｍと５３３ｍｍの位置に、長さ４００ｍｍのローラーレールをそれぞれに取り付けた。【００２２】  当該手摺り付三段引出用チェストは、こたつの周辺において、起き上がるときにチェストの手摺り部を使用して容易に立ち上がることができた。また引出し部は日頃使用する書類、衣服、文房具など整理してそれぞれの段に収納しており、こたつの中で簡単に取り出すことができた。
【実施例２】
【００２３】図４に示すように手摺り付本棚を製作した。まず図２のような、厚さ３０ｍｍ、横５３２ｍｍ、縦１１４５ｍｍのＭＤＦ板に、前記板の上部に幅２７０ｍｍ、高さ６０ｍｍの長方形体を前面から９５ｍｍの位置に切り抜き、また前部に幅２７０ｍｍ、高さ６０ｍｍの長方形体を上面から９５ｍｍの位置に切り抜き、取手として３０ｍｍの幅で内面に波状にした対象的側板を２枚製作した。天板の表面はポリエステル合板で、厚さ２０ｍｍ、幅７８０ｍｍ、奥行４３０ｍｍ、背板の表面はプリント化粧合板で幅７８０ｍｍ、高さ１０４５ｍｍのフラッシュ構造にて製作した。【００２４】引出は下段に１段あって、カキ板１９０×４００ｍｍ、向板１８６×７２９ｍｍとした。上部の空間スペースを縦に２分化し、左右に棚板を中央に各１枚取付け、高さ方向に６０ｍｍ間隔にて５段階に調節できるとした。
また引出の出し入れのために、側板の最下部から９５ｍｍの位置に、長さ４００ｍｍのローラーレールを取付けた。【００２５】  当該手摺り本棚は，立ち上がる時に手摺り部を使用することにより、容易に起き上がることができた。また可動棚板により書類・本などの高さに合わせることができ、簡単に収納と取り出すことができた。
【実施例３】
【００２６】図５に示すように手摺り小タンスを製作した。まず図４の本棚に扉を片方に取付けることにより、内部収納物を隠すことができる。両方に扉を取り付けることもできる。
厚さ３０ｍｍ、横５３２ｍｍ、縦１１４５ｍｍのポプラ材に、前記板の上部に幅２７０ｍｍ、高さ６０ｍｍの長方形体を前面から９５ｍｍの位置に切り抜き、また前部に幅２７０ｍｍ、高さ６０ｍｍの長方形体を上面から９５ｍｍの位置に切り抜き、取手として３０ｍｍの幅で内面に波状にした対象的側板を２枚製作し、上段半分を縦６６０ｍｍ、横３８２ｍｍの扉を取り付けた。
天板の表面は無垢のポプラ材で、厚さ２０ｍｍ、幅７８０ｍｍ、奥行４３０ｍｍ、背板の表面はポプラ材で幅７８０ｍｍ、高さ１０４５ｍｍの無垢板構造で製作した。【００２７】使用する用途により棚板の枚数も増やすこともできる、書類・衣服などの多目的な収納小タンスです。こたつ、ベットから立ち上がる場合、座り姿勢から手摺り部を使用することにより、姿勢を補助し容易に立ち上がることができ必要な物が簡単に取り出すことができた。
【符号の説明】
【００２３】１  上部手摺り部
２  前面手摺り部
３  引出部
４  取手部
５  天板
６  棚板
７  台輪
８  固定棚
９  扉
【図１】
0003176225.tif 000003
【図２】
0003176225.tif 000004
【図３】
0003176225.tif 000005
【図４】
0003176225.tif 000006
【図５】
0003176225.tif 000007
【手続補正書】
【提出日】平成23年12月22日(2011.12.22)
【手続補正１】
【補正対象書類名】実用新案登録請求の範囲
【補正対象項目名】全文
【補正方法】変更
【補正の内容】
【実用新案登録請求の範囲】
【請求項１】
小型家具において、家具の両側板の一方側の上部と前部に握り手になる手摺り部分を持っていることを特徴とする手摺り付家具。
【請求項２】
小型家具は、高さ８００ｍｍ〜１３００ｍｍ、幅７００ｍｍ〜９００ｍｍ、奥行き３００ｍｍ〜５３０ｍｍであって、タンス、本棚、チェストであることを特徴とする請求項１に記載の手摺り付家具。
【請求項３】
握り手になる手摺り部は、当該家具の両側板の一方側の前部と上部に設けて、前部では高さ４００ｍｍ〜６００ｍｍの位置で握り部を２００ｍｍ〜３００ｍｍを持って、上部では側板上部に前面から５０〜１５０ｍｍの位置で握り部を２００ｍｍ〜３００ｍｍを持っていることを特徴とする請求項１に記載の手摺り付家具。
【請求項４】
握り手になる手摺り部は、形状として掌で握りやすい大きさで、円形、略円形、多角形、角のない四角形であって、滑り止めの効果をもたらすために表面に溝線を設けたり、あるいは太さを周期的に変えたものにして、大きさとして略直径を２０ｍｍ〜３０ｍｍφであることを特徴とする請求項１に記載の手摺り付家具。
【請求項５】
当該握り手になる手摺り部は、取り付け側板の幅を反対側の側板より前面部と上部面で８０ｍｍ〜１２０ｍｍ長くして、前記の位置に幅５０ｍｍ〜７０ｍｍ、長さ２００ｍｍ〜３００ｍｍの略長方形で切り抜いて、円形、略円形、多角形、角のない四角形であって、握り手の表面に溝線を設けたり、あるいは太さを周期的に変えたものにして、大きさとして略直径を２０ｍｍ〜３０ｍｍφにしていることを特徴とする請求項１〜請求項４のいずれかに記載の手摺り付家具。
【請求項６】
小型家具は、引出し部、棚部から選ばれたタンス、本棚、チェストであって、引出し部、又は棚部を当該２〜４段を設けて、これらの単独、あるいは混合系であることを特徴とする請求項１〜請求項５のいずれかに記載の手摺り付家具。
【手続補正書】
【提出日】平成24年3月12日(2012.3.12)
【手続補正１】
【補正対象書類名】実用新案登録請求の範囲
【補正対象項目名】全文
【補正方法】変更
【補正の内容】
【実用新案登録請求の範囲】
【請求項１】
小型家具において、家具の両側板の一方側の上部と前部に握り手になる手摺り部分を持っていることを特徴とする手摺り付家具。
【請求項２】
小型家具は、高さ８００ｍｍ〜１３００ｍｍ、幅７００ｍｍ〜９００ｍｍ、奥行き３００ｍｍ〜５３０ｍｍであって、タンス、本棚、チェストであることを特徴とする請求項１に記載の手摺り付家具。
【請求項３】
握り手になる手摺り部は、当該家具の両側板の一方側の前部と上部に設けて、前部では高さ４００ｍｍ〜６００ｍｍの位置に握り部を２００ｍｍ〜３００ｍｍの長さにして、上部では側板上部に前面から５０〜１５０ｍｍの位置で握り部を２００ｍｍ〜３００ｍｍの長さにしていることを特徴とする請求項１に記載の手摺り付家具。
【請求項４】
握り手になる手摺り部は、形状として掌で握りやすい大きさで、円形、略円形、多角形、角のない四角形であって、滑り止めの効果をもたらすために表面に溝線を設けたり、あるいは太さを周期的に変えたものにして、大きさとして略直径を２０ｍｍ〜３０ｍｍφであることを特徴とする請求項１に記載の手摺り付家具。
【請求項５】
当該握り手になる手摺り部は、取り付け側板の幅を反対側の側板より前面部と上部面で８０ｍｍ〜１２０ｍｍ長くして、前記の位置に幅５０ｍｍ〜７０ｍｍ、長さ２００ｍｍ〜３００ｍｍの略長方形で切り抜いて、円形、略円形、多角形、角のない四角形であって、握り手の表面に溝線を設けたり、あるいは太さを周期的に変えたものにして、大きさとして略直径を２０ｍｍ〜３０ｍｍφにしていることを特徴とする請求項１〜請求項４のいずれかに記載の手摺り付家具。
【請求項６】
小型家具は、引出し部を１段から４段の範囲で設けているタンス、又は本棚、又はチェストであることを特徴とする請求項１〜請求項５のいずれかに記載の手摺り付家具。